(57)【要約】【課題】加工工数および加工コストの増加を抑えつつ、什器天板に安定的に取付けることができ、什器の使用者の使い勝手を良好なものとする。【解決手段】補助天板２０は、固定部材２２により、什器１０の天板１２に固定される。天板１２の前端面１２ａと係止面１５を固定部材２２の直交平板部２２ｂとカラー２７とで挟み込むことにより、補助天板２０を天板１２に対して前後方向に強固に固定する。  また、補助天板２０には、その前端部に下方に突出する突出部２３を設け、使用者はこの突出部２３を掴んで身体を補助天板２０側に引き寄せたりする動作を行うことができる。【選択図】図３
2011182877.tif 000002
【特許請求の範囲】
【請求項１】
天板を備えた什器に装着可能な補助天板であって、
前記什器の前記天板の上面に配置される補助天板本体と、
前記補助天板本体を前記什器の前記天板に固定する固定部材と、を備え、
前記固定部材は、前記補助天板本体の下面に固定される第一の固定部と、
前記第一の固定部と接続され前記天板の外周端面に突き当たることで前記天板側に向けた前記補助天板本体の移動を規制する第一の移動規制部と、
前記第一の移動規制部と接続され、前記天板の下面に沿い、前記天板の前記外周端面から内側に向けて延びるプレート部と、
前記プレート部に対し上方に形成され、前記什器の前記天板に形成されて前記天板の外周端面と反対側を向く係止面に突き当たることで前記天板の外側に向けた前記補助天板本体の移動を規制する第二の移動規制部と、
前記什器の前記天板の下面に接近・離間する方向に進退可能に設けられ、前記天板に押し付けられることで前記固定部材を前記天板に固定する第二の固定部と、
を備えることを特徴とする補助天板。
【請求項２】
前記第二の移動規制部は、前記天板の下面に沿う前記プレート部に連続し、前記係止面よりも前記天板の内側に向けて突出する突出プレート部と、
前記突出プレート部と前記天板との間に設けられ、前記係止面に対向するストッパと、を備えることを特徴とする請求項１に記載の補助天板。
【請求項３】
前記ストッパを取り付ける孔が、前記突出プレート部の突出方向に向けて間隔を隔てて当該突出プレート部に複数設けられ、前記突出プレート部に対する前記ストッパの取り付け位置が調整可能とされていることを特徴とする請求項２に記載の補助天板。
【請求項４】
前記ストッパを取り付ける孔が、前記突出プレート部の突出方向に向けて延びる長孔とされ、前記突出プレート部に対する前記ストッパの取り付け位置が調整可能とされていることを特徴とする請求項２に記載の補助天板。
【請求項５】
前記ストッパは、前記突出プレート部に対し、前記天板の下面に接近・離間する方向に進退可能に設けられ、当該ストッパを前記天板に押し付けることで、前記第二の固定部として前記固定部材を前記天板に固定することを特徴とする請求項２から４のいずれか一項に記載の補助天板。
【請求項６】
前記第二の移動規制部は、前記天板の下面に沿う前記プレート部に連続して形成され、前記プレート部に接続され前記係止面に係止される対向プレート部からなることを特徴とする請求項１に記載の補助天板。
【請求項７】
前記補助天板本体において、前記天板の前端部よりも外側に突出した位置に、前記補助天板本体から下方に延びる突出部が形成されていることを特徴とする請求項１から５のいずれか一項に記載の補助天板。
【請求項８】
請求項１から７のいずれか一項に記載の補助天板と、
前記補助天板が上面に装着される天板と、
前記天板を支持する支持部材と、を備えることを特徴とする什器。
【請求項９】
前記天板の外側の板厚が前記天板の内側の板厚より大きく形成されることで板厚の変化する箇所に前記係止面が形成されていることを特徴とする請求項８に記載の什器。
【請求項１０】
前記天板の下面に凹部または溝が形成されることで前記係止面が形成されていることを特徴とする請求項８に記載の什器。
【発明の詳細な説明】
【技術分野】
【０００１】
オフィスや公共施設等の執務空間にて使用される什器の補助天板、およびそれを備えた什器に関する。
【背景技術】
【０００２】
オフィスや公共施設等の執務空間にて使用されるデスク、カウンター、テーブル等の什器においては、天板上の平面の拡張が迫られることがある。
例えば、車いす使用者がテーブルやカウンター等の什器を使用する場合、車いすの肘掛け部が什器の天板の端部に干渉するため、車いす利用者と什器の天板との間に大きな隙間が生じてしまうことがある。すると、車いす使用者は、天板上を有効に利用して作業を行うためには上半身を前屈みにしなければならず不便であり、また、座った状態では全く天板上を利用することができなくなってしまうことがあった。また、車いす使用者用に限らず、例えば天板上の作業領域を広く確保したい場合もある。そこで、このような場合に、什器の天板に、天板の端部よりも利用者側に突出するよう装着する補助天板が提案されている（例えば、特許文献１〜３参照。）。
【０００３】
こうした補助天板は、特許文献１，２にも記載されているように、補助天板下面に設けたクランプ装置を用いて天板前縁部を挟持して什器に取り付ける方法が一般的である。こうした構造によれば、簡易的な構造でありながら、上下方向の荷重に対して強固に補助天板を固定することができるとされている。
【先行技術文献】
【特許文献】
【０００４】
【特許文献１】実用新案登録第３０７９８５４号公報
【特許文献２】特開平８−１１７２９５号公報
【特許文献３】特開２００７−７５２８６号公報
【発明の概要】
【発明が解決しようとする課題】
【０００５】
しかしながら、什器の使用者（特には車椅子使用者）においては、使用時の姿勢や什器との相対位置関係を変更するために、天板前縁を掴んで身体を什器側に引き寄せる動作を行うことがある。この場合、前述の構造においては、身体を引き寄せようとして補助天板に作用する天板の前後方向に沿った力に対し、天板の厚さ方向（上下方向）におけるクランプ装置の締め付け力によりクランプ装置と天板との間で生じる摩擦力によってのみ対抗することになる。このため、経年変化によるネジの緩み等に起因する締め付け力の低下により、補助天板がずれてしまい、補助天板が天板から脱落してしまったり、身体をうまく引き寄せられない恐れがあった。
【０００６】
そこで、什器の天板下面にネジ孔を穿設しておき、補助天板下面に設けたブラケットに設けた通し孔を介して取付ネジをネジ孔に螺合することによって、什器の天板に補助天板を固着する方法がある（特許文献３参照。）。
この方法によれば、補助天板に前後方向の引き付け力が加えられた場合においても、安定して補助天板を支持することができる。しかし、この方法では、什器天板へのネジ孔の加工が必要となるため、補助天板の取付位置が限られてしまう。取付位置を什器天板前縁に沿って変更可能としたい場合においては、複数のネジ孔を天板に穿設する必要があり、加工工数および加工コストが多く掛かってしまうという問題を有していた。
【０００７】
また、特許文献１〜３に記載の技術においては、取付ネジが下方に突出しているため、使用者や車いすに取付ネジが干渉することがある。さらに、この干渉は、取付ネジの緩みの発生にも繋がる。
【０００８】
そこでなされた本発明の目的は、加工工数および加工コストの増加を抑えつつ、什器天板に安定的に取付けることができ、什器の使用者の使い勝手を良好なものとすることのできる補助天板、什器を提供することである。
【課題を解決するための手段】
【０００９】
本発明は、上記課題を解決するため、以下の手段を採用する。
すなわち、本発明は、天板を備えた什器に装着可能な補助天板であって、什器の天板の上面に配置される補助天板本体と、補助天板本体を什器の天板に固定する固定部材と、を備え、固定部材は、補助天板本体の下面に固定される第一の固定部と、第一の固定部と接続され天板の外周端面に突き当たることで天板側に向けた補助天板本体の移動を規制する第一の移動規制部と、第一の移動規制部と接続され、天板の下面に沿い、天板の外周端面から内側に向けて延びるプレート部と、プレート部に対し上方に形成され、什器の天板に形成されて天板の外周端面と反対側を向く係止面に突き当たることで天板の外側に向けた補助天板本体の移動を規制する第二の移動規制部と、什器の天板の下面に接近・離間する方向に進退可能に設けられ、天板に押し付けられることで固定部材を天板に固定する第二の固定部と、を備えることを特徴とする。
ここで、係止面は、天板の外側の板厚よりも天板の内側の板厚が小さく形成されることで形成できる。また、天板の下面に凹部または溝が形成されることでも係止面を形成できる。
【００１０】
このような補助天板においては、第一の固定部と第二の固定部で固定部材を介して補助天板を天板に固定するのに加え、天板の外周端面と段部に第一の移動規制部と第二の移動規制部が突き当たることにより、天板の内外方向における補助天板の移動を規制することができる。
なお、第一の移動規制部と第二の移動規制部とにより、天板の外周端面と係止面とを挟み込むようにすれば、補助天板を天板に対して強固に固定できる。また、第一の移動規制部と第二の移動規制部との間隔を、天板の外周端面と係止面との間隔よりも大きく設定すれば、第一の移動規制部と天板の外周端面、第二の移動規制部と係止面との間に隙間を確保することができ、この隙間の範囲内において、補助天板を天板に対し、その内外方向にスライド移動させることもできる。
また、第二の固定部は、天板に押し付けられることで固定部材を天板に固定するため、天板側に加工を施す必要が無く、補助天板を天板に容易に取り付けることができる。このような第二の固定部は、ネジ等によって天板に対して押しつけるのが好ましい。
【００１１】
第二の移動規制部は、いかなる構成としても良いが、例えば、係止面よりも天板の内側に向けて突出する突出プレート部と、突出プレート部と天板との間に設けられ、係止面に対向するストッパと、を備える構成とすることができる。
ストッパを取り付ける孔を、突出プレート部の突出方向に向けて間隔を隔てて突出プレート部に複数設け、ネジ等による突出プレート部に対するストッパの取り付け位置を調整可能とすることもできる。
また、ストッパを取り付ける孔を、突出プレート部の突出方向に向けて延びる長孔とし、ネジ等による突出プレート部に対するストッパの取り付け位置を調整可能とすることもできる。
このようにして、突出プレート部に対するストッパの取り付け位置を調整可能とすることで、補助天板の天板に対する内外方向へのスライド量や、補助天板の天板から外側への突出量を適宜に設定することができる。
また、ストッパは、固定部材に対してネジ等によって取り付けることで、天板の下面に接近・離間する方向に進退可能に設けることができ、天板に押し付けられることで固定部材を天板に固定する第二の固定部として機能させることができる。もちろん、ストッパは、第二の固定部とは別に独立して設けても良い。
【００１２】
第二の移動規制部は、天板の下面に沿うプレート部に連続して形成され、プレート部に接続され係止面に係止される対向プレート部から形成することもできる。
【００１３】
補助天板本体において、天板よりも外側に突出した位置に、補助天板本体から下方に延びる突出部を形成することもできる。これにより、使用者は、この突出部をつかんで自らの身体を補助天板に対して接近・離間させることができる。
【００１４】
本発明は、上記したような補助天板と、補助天板が上面に装着される天板と、天板を支持する支持部材と、を備えることを特徴とする什器とすることもできる。
この場合、天板の外側に向かう方向への補助天板の移動を規制するための係止面は、天板の外側の板厚が天板の内側の板厚より大きく形成されることで板厚の変化する箇所に形成できる。
また、天板の下面に凹部または溝が形成されることでも係止面を形成することができる。
【発明の効果】
【００１５】
本発明によれば、固定部材の第一の固定部と第二の固定部で補助天板を天板に固定するのに加え、第一の移動規制部と第二の移動規制部により、天板の内外方向における補助天板の移動を規制することができる。これにより、補助天板を天板に対して強固に取り付けることができる。
また、第二の固定部は、天板に押し付けられることで固定部材を天板に固定するため、天板側に加工を施す必要が無く、補助天板を天板に容易に取り付けることができる。
これにより、加工工数および加工コストの増加を抑えつつ、補助天板を什器の天板に安定的に取付けることができる。
【００１６】
また、天板の係止面に対し、第二の固定部を天板の内側に配置することにより、第二の固定部として用いるボルト等の頭部が天板の下方に突出するのを抑えることができる。その結果、第二の固定部としてのボルト等が使用者や車いすに干渉するのを防ぎ、さらにはこれによって干渉によるボルト等の緩みを防止できる。
【００１７】
また、第一の移動規制部と第二の移動規制部との間隔を、天板の外周端面と係止面との間隔よりも大きく設定したり、突出プレート部に対するストッパの取り付け位置を調整可能とすることで、補助天板の天板に対する内外方向へのスライド量や外側への突出量を適宜に設定することができる。これにより、什器の使用者の使い勝手を良好なものとすることができる。
【図面の簡単な説明】
【００１８】
【図１】本発明の補助天板を備えた什器の一例を示す斜視図である。
【図２】什器の天板を下方から見たときの補助天板の取付状態を示す斜視図である。
【図３】補助天板の天板への取付構造を示す断面図である。
【図４】第二の固定部の構成を示す斜視図である。
【図５】補助天板の天板への取付構造の他の例を示す図であって、補助天板を前後方向にスライド可能とするため、係止面とストッパとの間に間隙を備えた構成の断面図である。
【図６】補助天板の天板への取付構造の他の例を示す図であって、突出プレート部へのストッパの取付位置を変更可能とした構成の断面図である。
【図７】補助天板の天板への取付構造の他の例を示す図であって、固定部材を折り曲げて形成した対向プレート部を係止面に突き当てる場合の構成を示す断面図である。
【図８】補助天板の天板への取付構造の他の例を示す図であって、固定部材をコ字状に形成した構成を示す断面図である。
【図９】天板に係止面を形成するため、溝またや凹部を形成した場合の例を示す断面図である。
【図１０】天板に凹部を形成することで係止面を形成した場合の、什器の天板を下方から見た斜視図である。
【発明を実施するための形態】
【００１９】
以下、添付図面を参照して、本発明による補助天板、什器を実施するための最良の形態を説明する。しかし、本発明はこれらの実施例のみに限定されるものではない。
【００２０】
図１は、本実施形態におけるデスク装置、カウンター等の天板１２を備えた什器１０の斜視図である。なお、以下の説明において、上方、下方、前方、後方といった方向は、什器１０を床面上に設置して使用するときの状態に対応した方向としている。すなわち、什器１０が設置される床面側を「下方」、その反対方向を「上方」、この什器１０を使用するユーザが什器１０に対向する側を「前方」、その反対側を「後方」と称する。
【００２１】
図１に示すように、什器１０は、什器１０が設置される床面上に立ち上がる一対の支持体１１、１１と、これら支持体１１、１１によって、床面の上方の所定高さに支持された天板１２と、を備える。
【００２２】
ここで、支持体１１としては、様々な形状の支持脚や、引き出しを備えた袖箱等を採用できる。また、支持体１１は、二つに限られず、三つ以上備えていても良い。また、例えば壁面やパーティションに天板１２を取り付ける場合、支持体１１として、略Ｌ字状の金具等を用いることもできる。
【００２３】
図２、図３に示すように、什器１０の天板１２の上面には、補助天板２０が装着されている。
補助天板２０は、天板１２の上面に沿って設けられる板状の補助天板本体２１と、補助天板本体２１を什器１０の天板１２に固定するための固定部材２２と、を備えている。
【００２４】
補助天板本体２１は、前端部に、下方に向けて突出する突出部２３を備えている。この突出部２３は、使用者の身体を什器１０側に引き寄せるために使用者が手で掴んで保持できるようになっている。なお、この突出部２３は、いかなる形状、構成であっても良く、例えば使用者が掴むことのできるバーを突出部２３として備えても良い。
【００２５】
固定部材２２は、一方向に延びる帯状のプレートを全体としてクランク状に折り曲げ加工したもので、第一平板部２２ａと、第一平板部２２ａの一端において直角に折り曲げられた直交平板部（第一の移動規制部）２２ｂと、直交平板部２２ｂの先端において直角に折り曲げられ、第一平板部２２ａと平行であって第一平板部２２ａから離間する方向に延びる第二平板部（プレート部）２２ｃとが連続して互いに接続されて形成されている。
【００２６】
図３に示すように、第一平板部２２ａは、補助天板本体２１の下面に突き当たり、第一平板部２２ａが連続する方向に例えば二つの貫通孔２４が形成されている。これら貫通孔２４を通してビス２５が補助天板本体２１の下面にねじ込まれることで、第一平板部２２ａは補助天板本体２１に固定されている。
【００２７】
直交平板部２２ｂは、第一平板部２２ａを補助天板本体２１に固定した状態で、天板１２の前端面（外周端面）１２ａに天板１２の前方側（外側）から突き当たることで、固定部材２２の後方側（天板１２の内側）への移動を規制する。
【００２８】
天板１２においては、前端面１２ａから後方側（天板１２の内側）に向けて一定長の位置に、前端面１２ａと反対側を向く係止面１５が形成されている。係止面１５は、天板１２の板厚を、天板１２の前方側（外側）に対して後方側（内側）で小さくし、その板厚が変化する箇所に形成されている。これにより、天板１２の下面１２ｂが、係止面１５の前方側１２ｂ−Ｆに対し、後方側１２ｂ−Ｒが上方に位置するよう形成されている。
【００２９】
第二平板部２２ｃは、このような天板１２の下面１２ｂに対し、係止面１５の前方側１２ｂ−Ｆに沿い、天板１２の前端面１２ａ（外側）から天板１２の後方側（内側）に向けて延びるよう設けられている。
第二平板部２２ｃに連続して、係止面１５よりも後方側（天板１２の内側）に突出する突出プレート部２２ｓが形成されている。  
【００３０】
図４に示すように、突出プレート部２２ｓには、その表裏を貫通するネジ孔２６が形成されている。突出プレート部２２ｓにおいて、天板１２に対向する上方側に、ブロック状のカラー（ストッパ）２７が配置されている。カラー２７には、突出プレート部２２ｓに対向する側に所定深さのネジ穴２８が形成されている。そして、突出プレート部２２ｓのネジ孔２６、およびカラー２７のネジ穴２８を合致させた状態で、これらにイモネジ２９をねじ込むことで、カラー２７が突出プレート部２２ｓに取り付けられている。ここで、イモネジ２９を用いることで、突出プレート部２２ｓの下方に突出物ができるのを回避している。
カラー２７は、天板１２の係止面１５に対し、後方側（天板１２の内側）から突き当たるよう、ネジ孔２６、ネジ穴２８が形成されている。カラー２７が係止面１５に後方側から突き当たることで、固定部材２２の前方側（天板１２の外側）への移動を規制する第二の移動規制部として機能する。
【００３１】
このようにして、補助天板２０は、固定部材２２およびカラー２７により、什器１０の天板１２に固定される。ここで、天板１２の前端面１２ａと係止面１５を固定部材２２とカラー２７とで挟み込むことにより、補助天板２０を天板１２に対して前後方向に強固に固定することができる。この場合、特に天板１２にネジ孔の加工等は不要であるため、補助天板２０を什器１０の天板１２に、簡易的な構造でありながら容易かつ確実に固定することが可能となる。
【００３２】
また、補助天板２０には、天板１２の前端部よりも前方側（外側）に突出した位置に、下方に突出する突出部２３が設けられているので、使用者はこの突出部２３を掴んで身体を補助天板２０側に引き寄せたりする動作を行うことができる。このときも、天板１２の前端面１２ａと係止面１５とが固定部材２２とカラー２７とで挟み込まれているので、補助天板２０が天板１２に対して前後方向に強固に固定されており、補助天板２０側に引き寄せたりする動作を安定して行うことができる。
【００３３】
なお、上記実施形態において、カラー２７は、天板１２の下面１２ｂに対し、係止面１５の後方側１２ｂ−Ｒにおいて押し付けられるように設けることも可能である。これにより、天板１２を補助天板本体２１とカラー２７とで挟み込み、その摩擦力によって、補助天板２０を前後方向に固定する拘束力を高めることができる。
【００３４】
（その他の実施形態）
なお、本発明は、図面を参照して説明した上述の各実施形態に限定されるものではなく、その技術的範囲において様々な変形例が考えられる。
例えば、上記実施形態においては、天板１２の前端面１２ａと係止面１５を固定部材２２とカラー２７とで挟み込むようにしたが、図５に示すように、固定部材２２の直交平板部２２ｂを天板１２の前端面１２ａに突き当てた状態で、カラー２７を、係止面１５との間に隙間を隔てる位置に設けるようにしても良い。
このような構成によれば、カラー２７が係止面１５に後方側から突き当たる位置まで、補助天板２０を天板１２に対して前方（使用者から見て手前側）に引き出して使用することが可能となる。この場合も、天板１２の前端面１２ａと固定部材２２、係止面１５とカラー２７により、補助天板２０が一定以上のスライド量でスライドするのを確実に防止できる。また、カラー２７を天板１２の下面１２ｂに押しつければ、補助天板２０を、そのスライド範囲内の任意位置で天板１２に固定でき、補助天板２０の天板１２から前方への突出量が適宜調整可能となる。
【００３５】
さらに、図６（ａ）に示すように、固定部材２２の突出プレート部２２ｓに、その長手方向に沿って間隔を隔ててネジ孔２６を複数形成することにより、カラー２７を固定部材２２に取り付ける位置を選択できるようにしてもよい。これにより、補助天板２０の天板１２に対する前後方向のスライド量や前方への突出量を、図５の構成よりもより大きな範囲内で適宜選択して設定することが可能となる。
【００３６】
また、図６（ｂ）に示すように、ネジ孔２６に代えて、突出プレート部２２ｓに、突出プレート部２２ｓの長手方向に沿って連続する長孔３０を形成し、この長孔３０を通してボルト３１をカラー２７のネジ穴２８にねじ込むことで、カラー２７を固定部材２２に取り付けることもできる。この場合も、長孔３０の範囲内において、カラー２７の位置を任意に設定することができ、補助天板２０の天板１２に対する前後方向のスライド量や前方への突出量を適宜設定することができる。
【００３７】
なお、この場合、ボルト３１に代えて、図３の構成と同様、イモネジ２９を用いることもできるが、カラー２７を固定部材２２に確実に固定するには、ボルト３１を用い、ボルト３１の頭部３１ａとカラー２７とで固定部材２２を上下に挟み込むのが好ましい。ただしその場合、ボルト３１の頭部３１ａが下方に突出することになる。
【００３８】
図６（ｂ）の場合に限らず、イモネジ２９に代えてボルト３１を用いることももちろん可能である。その場合、ボルト３１の頭部３１ａが下方に突出するのを回避するため、図７に示すように、係止面１５の後方において、第二平板部２２ｃに直交して上方に延びる第二直交平板部（対向プレート部、第二の移動規制部）２２ｄを第二平板部２２ｃに連続して形成するとともに、第二直交平板部２２ｄの上端部から直交して後方に延びる第三平板部２２ｅを形成するのが好ましい。これにより、カラー２７が固定される第三平板部２２ｅは、第二平板部２２ｃよりも上方に位置することになり、ボルト３１の頭部３１ａが第二平板部２２ｃよりも下方に突出するのを防ぐことができる。
この場合、第二直交平板部２２ｄが係止面１５の端面１５ａに天板１２の後方側（内側）から対向して突き当たることで、補助天板２０の前方への移動が規制できる。この場合も、第二直交平板部２２ｄを係止面１５の端面１５ａとの間に隙間を隔てて設けても良い。
【００３９】
また、固定部材２２は、上記各形態に示したクランク状の構成に限るものではない。例えば、図８に示すように、第一平板部２２ａ’を補助天板２０の下面と天板１２の上面との間に挟み込むようにし、第一平板部２２ａ’、直交平板部２２ｂ、第二平板部２２ｃを全体としてコ字状とすることも可能である。このような構成は、図５〜図７で示した構成にも同様に適用することができる。
【００４０】
また、係止面１５は、天板１２において、係止面１５よりも前端部側の板厚を、係止面１５よりも後方の部分よりも大きくすることで形成したが、これに限るものではない。例えば、図９に示すように、天板１２の下面１２ｂに、前端面１２ａから一定長後方側の位置に、凹部１６を形成することでも、係止面１５は形成できる。ここで、凹部１６は、天板１２の幅方向（什器１０の幅方向）に連続する溝状としても良いし、図１０に示すように、天板１２の幅方向において、固定部材２２を設ける位置のみに形成しても良い。後者の場合、天板１２の幅方向における固定部材２２の位置を規定できる。
これ以外にも、本発明の主旨を逸脱しない限り、上記実施の形態で挙げた構成を取捨選択したり、他の構成に適宜変更することが可能である。
【符号の説明】
【００４１】
１０    什器
１１    支持体
１２    天板
１２ａ  前端面（外周端面）
１２ｂ  下面
１５    係止面
１６    凹部
２０    補助天板
２１    天板本体
２２    固定部材
２２ａ  第一平板部
２２ｂ  直交平板部（第一の移動規制部）
２２ｃ  第二平板部（プレート部）
２２ｄ  第二直交平板部（対向プレート部、第二の移動規制部）
２２ｅ  第三平板部
２２ｓ  突出プレート部
２３    突出部
２４    貫通孔
２６    ネジ孔
２７    カラー（ストッパ）
３０    長孔
【図１】
2011182877.tif 000003
【図２】
2011182877.tif 000004
【図３】
2011182877.tif 000005
【図４】
2011182877.tif 000006
【図５】
2011182877.tif 000007
【図６】
2011182877.tif 000008
【図７】
2011182877.tif 000009
【図８】
2011182877.tif 000010
【図９】
2011182877.tif 000011
【図１０】
2011182877.tif 000012